(57)【要約】【課題】位置識別媒体を不要となしながら、各端末計算機にそれぞれの設置位置に応じた表示制御動作を独立して実行させる。【解決手段】複数の端末計算機４、各車両に設置される無線ＬＡＮアクセスポイント３、およびこのアクセスポイントを介して、表示端末に表示させる情報を配信すると共に端末計算機４の動作を制御する情報サービス管理装置２を有する。無線ＬＡＮアクセスポイント３は、受信する各々の端末計算機４からの電波強度を電波強度測定部により測定し、自身の無線ＬＡＮアクセスポイントのＡＰ設置方向情報を設置方向取得部により取得し、端末計算機４と無線通信を確立させ、端末計算機４から取得した端末識別情報、設置方向情報と、電波強度、ＡＰ設置方向情報、および自身の識別情報とを動作制御装置に通知する。【選択図】図１
2014175805.tif 000002
【特許請求の範囲】
【請求項１】
列車を編成する車両内に設置される複数の表示端末の表示内容を個別に制御し、前記複数の表示端末に対応付けられて設置される複数の端末計算機と、
各車両に設置される無線ＬＡＮアクセスポイントと、
前記無線ＬＡＮアクセスポイントを介して、前記複数の表示端末に表示させる情報を配信し、前記複数の端末計算機の動作を制御する動作制御装置と、
を有し、
それぞれの前記端末計算機は、
自身の端末計算機の設置方向を取得し、設置方向情報として出力する第１の設置方向取得部と、
前記第１の設置方向取得部が取得した前記設置方向情報、および自身の端末識別情報を前記無線ＬＡＮアクセスポイントに通知して、自身の動作を規定する動作パラメータを前記動作制御装置から前記無線ＬＡＮアクセスポイントを介して取得する動作パラメータ取得部と、
前記動作パラメータ取得部で取得した前記動作パラメータにしたがって動作することによって前記表示端末の表示内容を制御する表示制御部と、
を有し、
前記無線ＬＡＮアクセスポイントは、
受信する各々の前記端末計算機からの電波強度を測定し、その測定結果を出力する電波強度測定部と、
自身の無線ＬＡＮアクセスポイントの設置方向を取得し、ＡＰ設置方向情報として出力する第２の設置方向取得部と、
前記端末計算機と無線通信を確立させ、前記電波強度測定部が測定した電波強度、前記ＡＰ設置方向情報、自身の識別情報、前記端末識別情報、および前記端末計算機の設置方向情報を前記動作制御装置に通知する位置情報通知部と、
を有し、
前記動作制御装置は、前記無線ＬＡＮアクセスポイントから通知される前記無線ＬＡＮアクセスポイントの識別情報からそれぞれの前記端末計算機の号車番号を特定し、前記無線ＬＡＮアクセスポイントから通知される前記端末計算機の設置方向情報、前記電波強度、および前記無線ＬＡＮアクセスポイントのＡＰ設置方向情報から、当該車両に設置されている前記端末計算機の設置位置と電波強度との関係を示す端末配置パターンデータを参照することによって、当該端末計算機の車両内の設置位置を特定し、個々の設置位置に対応する前記動作パラメータを生成し、前記無線ＬＡＮアクセスポイントを介して、当該端末計算機に送信する端末計算機管理部を有する、鉄道車両向け分散型計算機システム。
【請求項２】
請求項１記載の鉄道車両向け分散型計算機システムにおいて、
前記動作制御装置は、さらに、自身が搭載されている列車を編成している車両の号車番号ごとに、当該車両に設置されている前記無線ＬＡＮアクセスポイントの識別情報、および前記端末配置パターンデータを記憶する編成データ記憶部を有する、鉄道車両向け分散型計算機システム。
【請求項３】
請求項１記載の鉄道車両向け分散型計算機システムにおいて、
前記第１の設置方向取得部が取得する設置方向情報、および前記第２の設置方向取得部が取得するＡＰ設置方向情報は、方位である、鉄道車両向け分散型計算機システム。
【請求項４】
請求項３記載の鉄道車両向け分散型計算機システムにおいて、
前記第１、および前記第２の設置方向取得部は、電子コンパスである、鉄道車両向け分散型計算機システム。
【請求項５】
請求項１記載の鉄道車両向け分散型計算機システムにおいて、
前記動作制御装置は、さらに、それぞれの前記端末計算機に送信した前記動作パラメータに基づいて、当該端末計算機に対応付けられた表示端末に表示される情報を選択して、当該端末計算機に配信する配信制御部を有する、鉄道車両向け分散型計算機システム。
【請求項６】
列車を編成する車両内に設置される複数の表示端末の表示内容を個別に制御し、前記複数の表示端末に対応付けられて設置される複数の端末計算機と、各車両に設置される無線ＬＡＮアクセスポイントと、前記無線ＬＡＮアクセスポイントを介して、前記複数の表示端末に表示させる情報を配信し、前記複数の端末計算機の動作を制御する動作制御装置とを有する、鉄道車両向け分散型計算機システムの動作制御方法であって、
前記無線ＬＡＮアクセスポイントにおいて、車両内に設置されている前記端末計算機と無線通信を確立し、無線通信が確立した前記端末計算機の設置方向情報と前記端末計算機の端末識別情報とを取得し、取得した前記設置方向情報、前記端末識別情報、自身の識別情報、および自身のＡＰ設置方向情報を前記動作制御装置に通知するステップと、
前記動作制御装置において、前記無線ＬＡＮアクセスポイントから通知される前記無線ＬＡＮアクセスポイントの識別情報からそれぞれの前記端末計算機の号車番号を特定するステップと、
前記動作制御装置において、前記設置方向情報、前記端末識別情報、および前記ＡＰ設置方向情報から、自身が搭載されている列車を編成している車両の号車番号ごとに当該車両に設置されている前記端末計算機の設置位置と電波強度との関係を示す端末配置パターンデータを参照することによって、当該端末計算機の車両内の設置位置を特定するステップと、
を有する、鉄道車両向け分散型計算機システムの動作制御方法。
【請求項７】
請求項６記載の鉄道車両向け分散型計算機システムの動作制御方法において、
さらに、前記動作制御装置において、車両内の設置位置を特定した端末計算機における個々の設置位置に対応する当該端末計算機の動作を規定する動作パラメータを生成し、前記無線ＬＡＮアクセスポイントを介して、当該端末計算機に送信するステップと、
前記端末計算機において、自身の端末識別情報を前記無線ＬＡＮアクセスポイントに通知して、自身の動作を規定する動作パラメータを前記動作制御装置から前記無線ＬＡＮアクセスポイントを介して取得し、取得した前記動作パラメータにしたがって動作することによって前記表示端末の表示内容を制御するステップと、
を有する、鉄道車両向け分散型計算機システムの動作制御方法。
【請求項８】
請求項７記載の鉄道車両向け分散型計算機システムの動作制御方法において、
さらに、前記動作制御装置において、それぞれの前記端末計算機に送信した前記動作パラメータに基づいて、当該端末計算機に対応付けられた表示端末に表示される情報を選択して、当該端末計算機に配信するステップを有する、鉄道車両向け分散型計算機システムの動作制御方法。
【発明の詳細な説明】
【技術分野】
【０００１】
本発明は、鉄道車両のドア近傍に設けられた複数の表示端末に情報を表示する、鉄道情報サービス提供システムに好適な鉄道車両向け計算機システムに関する。
【背景技術】
【０００２】
鉄道などの乗客向け情報サービスとして、車両内の各所にＬＥＤ（Light Emitting Diode）ディスプレイや液晶ディスプレイなどの表示端末を設置し、各種案内、ニュース、広告映像などを乗客に提供するシステムが実用化されている。
【０００３】
また、乗客の満足度を高めるべく、各表示端末への表示内容は一律ではなく、その設置位置に適した内容を選択して表示する等の技術が導入されている。そのような制御を行うためには、それぞれの表示端末を制御する端末計算機に、表示端末の設置位置に応じた表示内容を出力するように動作パラメータを設定する必要があり、この動作パラメータの設定作業を効率的に実施する技術が重要となる。
【０００４】
そのような技術として、例えば、特許文献１がある。この特許文献１には、「各車両に設置される無線ＬＡＮアクセスポイントを介して動作制御装置に無線で接続されるそれぞれの前記端末計算機は、自身の車両内における設置位置を特定し、特定した設置位置を動作制御装置に通知して自身の動作パラメータを取得して動作することで表示制御を行う。一方、動作制御装置は、端末計算機の配置パターンを含む列車の編成データに基づいてそれぞれの設置位置に対応する動作パラメータを生成し、端末計算機からの通知を中継した無線ＬＡＮアクセスポイントを識別して車両の号車番号を特定し、通知された設置位置に対応する動作パラメータを当該端末計算機に送信する」技術が記載されている。
【先行技術文献】
【特許文献】
【０００５】
【特許文献１】特開２０１２−７６６８１号公報
【発明の概要】
【発明が解決しようとする課題】
【０００６】
しかし、特許文献１の技術を適用するためには、動作パラメータ設定の際、車両内の設置位置を記録した位置識別媒体を表示端末、および端末計算機とは別に車両に設置する必要がある。よって、設置作業時には、複数の設置位置に対して、当該の位置識別媒体を間違えなく設置しなければならず、表示端末の艤装作業の工数が増加するという問題があった。
【０００７】
また、仮に位置識別媒体の設置場所を間違った場合には、表示端末の画面に別の位置で表示すべき間違った映像が表示されてしまうことになる。しかしながら、特許文献１のシステムではその映像が正しいかどうかを診断することができず、正しいかどうかを診断するためには、実際に表示されている内容と設置位置を目視などで確認して、診断する必要がある。
【０００８】
本発明の目的は、位置識別媒体を不要としながら、各端末計算機にそれぞれの設置位置に応じた表示制御動作を独立して実行させることができる鉄道車両向け分散型計算機システムを提供することにある。
【０００９】
本発明の前記ならびにその他の目的と新規な特徴については、本明細書の記述および添付図面から明らかになるであろう。
【課題を解決するための手段】
【００１０】
本願において開示される発明のうち、代表的なものの概要を簡単に説明すれば、次のとおりである。
【００１１】
すなわち、代表的なものの概要は、鉄道車両向け分散型計算機システム、および鉄道車両向け分散型計算機システムの動作制御方法に適用され、以下のような特徴を有するものである。
【００１２】
鉄道車両向け分散型計算機システムは、列車を編成する車両内に設置される複数の表示端末の表示内容を個別に制御し、複数の表示端末に対応付けられて設置される複数の端末計算機と、各車両に設置される無線ＬＡＮアクセスポイントと、該無線ＬＡＮアクセスポイントを介して、複数の表示端末に表示させる情報を配信し、複数の端末計算機の動作を制御する動作制御装置とを有するものである。
【００１３】
それぞれの端末計算機は、自身の端末計算機の設置方向を取得し、設置方向情報として出力する第１の設置方向取得部と、該第１の設置方向取得部が取得した設置方向情報、および自身の端末識別情報を無線ＬＡＮアクセスポイントに通知して、自身の動作を規定する動作パラメータを動作制御装置から無線ＬＡＮアクセスポイントを介して取得する動作パラメータ取得部と、該動作パラメータ取得部が取得した動作パラメータにしたがって動作することによって表示端末の表示内容を制御する表示制御部とを有する。
【００１４】
無線ＬＡＮアクセスポイントは、受信する各々の端末計算機からの電波強度を測定し、その測定結果を出力する電波強度測定部と、自身の無線ＬＡＮアクセスポイントの設置方向を取得し、ＡＰ設置方向情報として出力する第２の設置方向取得部と、端末計算機と無線通信を確立させ、電波強度測定部が測定した電波強度、端末識別情報、端末計算機の設置方向情報、ＡＰ設置方向情報、および自身の識別情報を動作制御装置に通知する位置情報通知部とを有する。
【００１５】
動作制御装置は、自身が搭載されている列車を編成している車両の号車番号ごとに、当該車両に設置されている無線ＬＡＮアクセスポイントの識別情報と、当該車両に設置されている端末計算機の設置位置と電波強度との関係を示す端末配置パターンデータとを記憶する編成データ記憶部と、無線ＬＡＮアクセスポイントから通知される無線ＬＡＮアクセスポイントの識別情報からそれぞれの端末計算機の号車番号を特定し、無線ＬＡＮアクセスポイントから通知される端末計算機の設置方向情報、電波強度、および無線ＬＡＮアクセスポイントのＡＰ設置方向情報から、端末配置パターンデータを参照することによって、当該端末計算機の車両内の設置位置を特定し、個々の設置位置に対応する動作パラメータを生成し、無線ＬＡＮアクセスポイントを介して、当該端末計算機に送信する端末計算機管理部とを有する。
【００１６】
また、鉄道車両向け分散型計算機システムの動作制御方法は、列車を編成する車両内に設置される複数の表示端末の表示内容を個別に制御し、複数の表示端末に対応付けられて設置される複数の端末計算機と、各車両に設置される無線ＬＡＮアクセスポイントと、無線ＬＡＮアクセスポイントを介して、複数の表示端末に表示させる情報を配信し、複数の端末計算機の動作を制御する動作制御装置とを有する鉄道車両向け分散型計算機システムの動作を制御する動作制御方法である。
【００１７】
無線ＬＡＮアクセスポイントにおいて、車両内に設置されている端末計算機と無線通信を確立し、無線通信が確立した端末計算機の設置方向情報と端末計算機の端末識別情報とを取得し、取得した設置方向情報、端末識別情報、自身の識別情報、および自身のＡＰ設置方向情報を動作制御装置に通知するステップを有する。
【００１８】
動作制御装置において、無線ＬＡＮアクセスポイントから通知される無線ＬＡＮアクセスポイントの識別情報からそれぞれの端末計算機の号車番号を特定するステップを有する。
【００１９】
動作制御装置において、設置方向情報、端末識別情報、およびＡＰ設置方向情報から、自身が搭載されている列車を編成している車両の号車番号ごとに当該車両に設置されている端末計算機の設置位置と電波強度との関係を示す端末配置パターンデータを参照することによって、当該端末計算機の車両内の設置位置を特定するステップを有する。
【発明の効果】
【００２０】
本願において開示される発明のうち、代表的なものによって得られる効果を簡単に説明すれば以下のとおりである。
【００２１】
（１）位置識別媒体が不要になり、表示装置、および端末計算機の設置作業を効率化することができる。
【００２２】
（２）各計算機にそれぞれの設置位置に応じた表示制御動作を独立して実行させることができる。
【００２３】
（３）情報の誤表示を防止することができる。
【図面の簡単な説明】
【００２４】
【図１】本発明の一実施の形態による鉄道車両向け分散型計算機システムの構成の一例を示す説明図である。
【図２】図１の鉄道車両向け分散型計算機システムにおける車両に搭載される装置の構成とその接続、および配置例とを示す説明図である。
【図３】図１の鉄道車両向け分散型計算機システムが有する情報サービス用の表示端末に表示される、車両の進行方向左側と右側とで表示内容が異なる案内画面の表示例を示す図である。
【図４】図１の鉄道車両向け分散型計算機システムが有する端末計算機の構成例を示す機能ブロック図である。
【図５】図１の鉄道車両向け分散型計算機システムが有する無線ＬＡＮアクセスポイントの構成例を示す機能ブロック図である。
【図６】図１の鉄道車両向け分散型計算機システムが有する情報サービス管理装置の構成例を示す機能ブロック図である。
【図７】図１の鉄道車両向け分散型計算機システムが有する端末計算機がＩＰアドレスを取得するまでの動作の流れを示すシーケンス図である。
【図８】図１の鉄道車両向け分散型計算機システムが有する端末計算機が動作パラメータを取得して表示端末の表示制御を行う動作の流れを示すシーケンス図である。
【図９】図６の情報サービス管理装置が有する編成データ記憶部に備えられる編成データテーブルの構成、およびデータ例を示す説明図である。
【図１０】図６の情報サービス管理装置が有する編成データ記憶部に備えられる端末配置パターン定義テーブルの構成、およびデータ例を示す説明図である。
【図１１】図６の情報サービス管理装置が有するＰＣ管理部が情報配信センタから列車の編成データを受信したときにＰＣ管理データ記憶部に生成されるＰＣ管理テーブルの初期状態のデータ例を示す説明図である。
【図１２】端末計算機が登録された後のＰＣ管理テーブルのデータ例を示す説明図である。
【発明を実施するための形態】
【００２５】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００２６】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２７】
さらに、以下の実施の形態において、その構成要素（要素ステップ等も含む）は、特に明示した場合および原理的に明らかに必須であると考えられる場合等を除き、必ずしも必須のものではないことは言うまでもない。
【００２８】
同様に、以下の実施の形態において、構成要素等の形状、位置関係等に言及するときは特に明示した場合および原理的に明らかにそうではないと考えられる場合等を除き、実質的にその形状等に近似または類似するもの等を含むものとする。このことは、上記数値および範囲についても同様である。
【００２９】
また、実施の形態を説明するための全図において、同一の部材には原則として同一の符号を付し、その繰り返しの説明は省略する。なお、図面をわかりやすくするために平面図であってもハッチングを付す場合がある。
【００３０】
〈発明の概要〉
本発明の第１の概要は、複数の端末計算機（端末計算機４）、各車両に設置される無線ＬＡＮアクセスポイント（無線ＬＡＮアクセスポイント３）、および動作制御装置（情報サービス管理装置２）を有する鉄道車両向け分散型計算機システム（分散型計算機システム１０）である。
【００３１】
複数の端末計算機は、列車を編成する車両内に設置される複数の表示端末の表示内容を個別に制御し、複数の表示端末に対応付けられて設置される。動作制御装置は、無線ＬＡＮアクセスポイントを介して、複数の表示端末に表示させる情報を配信し、複数の端末計算機の動作を制御する。
【００３２】
また、それぞれの端末計算機は、第１の設置方向取得部（設置方向取得部１００）、動作パラメータ取得部（動作パラメータ取得部４４）、および表示制御部（端末表示制御部４５）を有する。
【００３３】
第１の設置方向取得部は、自身の端末計算機の設置方向を取得し、設置方向情報として出力する。動作パラメータ取得部は、第１の設置方向取得部が取得した設置方向情報、および自身の端末識別情報を無線ＬＡＮアクセスポイントに通知して、自身の動作を規定する動作パラメータを動作制御装置から無線ＬＡＮアクセスポイントを介して取得する。表示制御部は、動作パラメータ取得部で取得した動作パラメータにしたがって動作することによって表示端末の表示内容を制御する。
【００３４】
無線ＬＡＮアクセスポイントは、電波強度測定部（電波強度測定部１０１）と、第２の設置方向取得部（設置方向取得部１０２）と、位置情報通知部（ＤＨＣＰサーバ兼情報サービス管理装置交信部３４）とを有する。
【００３５】
電波強度測定部は、受信する各々の端末計算機からの電波強度を測定し、その測定結果を出力する。第２の設置方向取得部は、自身の無線ＬＡＮアクセスポイントの設置方向を取得し、ＡＰ設置方向情報として出力する。
【００３６】
位置情報通知部は、端末計算機と無線通信を確立させ、電波強度測定部が測定した電波強度、ＡＰ設置方向情報、自身の識別情報、端末識別情報、および端末計算機の設置方向情報を動作制御装置に通知する。
【００３７】
動作制御装置は、端末計算機管理部（ＰＣ管理部２４）を有する。端末計算機管理部は、無線ＬＡＮアクセスポイントから通知される無線ＬＡＮアクセスポイントの識別情報からそれぞれの端末計算機の号車番号を特定し、無線ＬＡＮアクセスポイントから通知される端末計算機の設置方向情報、電波強度、および無線ＬＡＮアクセスポイントのＡＰ設置方向情報から、当該車両に設置されている端末計算機の設置位置と電波強度との関係を示す端末配置パターンデータを参照することによって、当該端末計算機の車両内の設置位置を特定し、個々の設置位置に対応する動作パラメータを生成し、無線ＬＡＮアクセスポイントを介して、当該端末計算機に送信する。
【００３８】
また、本発明の第２の概要は、鉄道車両向け分散型計算機システムの動作制御方法は、列車を編成する車両内に設置される複数の表示端末（表示端末４０）の表示内容を個別に制御し、複数の表示端末に対応付けられて設置される複数の端末計算機（端末計算機４）と、各車両に設置される無線ＬＡＮアクセスポイント（無線ＬＡＮアクセスポイント３）と、無線ＬＡＮアクセスポイントを介して、複数の表示端末に表示させる情報を配信し、複数の端末計算機の動作を制御する動作制御装置（情報サービス管理装置２）とを有する鉄道車両向け分散型計算機システムの動作制御方法である。
【００３９】
この動作制御方法は、以下のステップを有する。
【００４０】
無線ＬＡＮアクセスポイントは、車両内に設置されている端末計算機と無線通信を確立し、無線通信が確立した端末計算機の設置方向情報と端末計算機の端末識別情報とを取得し、取得した設置方向情報、端末識別情報、自身の識別情報、および自身のＡＰ設置方向情報を動作制御装置に通知するステップを有する（ステップＳ４２０，Ｓ４２１，Ｓ３２２）。
【００４１】
動作制御装置は、無線ＬＡＮアクセスポイントから通知される無線ＬＡＮアクセスポイントの識別情報からそれぞれの端末計算機の号車番号を特定するステップを有する（ステップＳ２２１、Ｓ２２２）。
【００４２】
動作制御装置は、設置方向情報、端末識別情報、およびＡＰ設置方向情報から、自身が搭載されている列車を編成している車両の号車番号ごとに当該車両に設置されている端末計算機の設置位置と電波強度との関係を示す端末配置パターンデータを参照することによって、当該端末計算機の車両内の設置位置を特定するステップを有する（ステップＳ４２２，Ｓ４２３，Ｓ４２４）。
【００４３】
以下、上記した概要に基づいて、実施の形態を詳細に説明する。
【００４４】
〈鉄道車両向け分散型計算機システムの構成例〉
図１は、本発明の一実施の形態による鉄道車両向け分散型計算機システムの構成の一例を示す説明図である。
【００４５】
この図１には、例えば１号車からｎ号車までのｎ両（ｎは１以上の任意の整数）の車両が連結されて編成される列車に搭載された分散型計算機システム１０の構成例を示している。
【００４６】
また、図１において、破線の枠は列車を編成する車両を表しており、各車両には、それぞれ無線ＬＡＮアクセスポイント３と複数の端末計算機４とが備えられ、この両者の間の通信は無線によって行われる。
【００４７】
それぞれの端末計算機４は、図４に示す表示端末４０と一体型に形成されている。この表示端末４０は、ＬＥＤディスプレイや液晶ディスプレイなどからなる。端末計算機４は、例えば車両内のドア上部など壁面などに埋め込まれて設置される。ここでは、表示端末４０と端末計算機４とがそれぞれ１対１に対応付けされており、端末計算機４によって、その表示内容が個別に制御される。
【００４８】
これらすべての端末計算機４は、自身に接続されている表示端末に情報サービス用の各種画面を表示させるという同一の機能を有する。ただし、表示端末４０の仕様や設置位置などに応じて表示内容を変えることができるように、それぞれの端末計算機４は、自身に接続されている表示端末４０の設置位置に対応して情報サービス管理装置２から配信される所定の動作パラメータによって、各種の表示制御動作を実行できるようにプログラム制御される。
【００４９】
これにより、例えば、車両の進行方向の右側と左側とで異なる情報を表示させたり、停車駅の階段やエレベータなどの位置を示す案内図を車両毎に変えたり、車両内の位置によって放映する広告映像を変えたりするなどの、きめ細かな表示制御が可能となる。
【００５０】
１つの車両に設置される表示端末４０の数、すなわち端末計算機４の数は任意であるが、通常は２台（車両の前後両端に設置）から２４台の間であることが多く、同じ数の表示端末４０が設置された車両だけで編成される列車もあるし、異なる数の表示端末４０が設置された車両を任意に組み合わせて編成される列車もある。
【００５１】
図１の例では、１号車にＰＣ＃１−１〜ＰＣ＃１−８の計８台、２号車にＰＣ＃２−１〜ＰＣ＃２−２４の計２４台の端末計算機４がそれぞれ設置されている。なお、ＰＣ＃ｊ−ｋなる標記は、ｊ号車のｋ番目の端末計算機４を表すものとする。
【００５２】
図１に示すように、分散型計算機システム１０には、ＤＨＣＰ（Dynamic Host Configuration Protocol）サーバ１、情報サービス管理装置２、およびＬＡＮ（Local Area Network）５が備えられる。
【００５３】
ＤＨＣＰサーバ１は、ＩＰ（Internet Protocol）通信に必要となるＩＰアドレスなどを各端末計算機４に割り当てる。情報サービス管理装置２は、各端末計算機４にその動作を規定する動作パラメータ、および情報サービスの提供に必要な各種の情報を配信する。
【００５４】
ＬＡＮ５は、ＤＨＣＰサーバ１、情報サービス管理装置２、および無線ＬＡＮアクセスポイント３をそれぞれ接続するネットワークであり、例えばイーサネット（登録商標）などにより接続されている。
【００５５】
このように、ＤＨＣＰサーバ１と情報サービス管理装置２と各車両に備えられる無線ＬＡＮアクセスポイント３とが、ＬＡＮ５を介して相互に通信可能に接続されることで、端末計算機４を含めた無線ＬＡＮシステムが構築される。
【００５６】
このＬＡＮ５には、通常はバス型もしくはループ型などの有線ＬＡＮを用いるが、端末計算機４を接続する無線ＬＡＮとは使用する周波数帯域が異なる別方式の無線ＬＡＮを用いてもよい。なお、ＤＨＣＰサーバ１は、情報サービス管理装置２の中に実装するようにしてもよい。
【００５７】
また、情報サービス管理装置２へは、図示しない列車無線通信手段によって、情報配信センタ７０から情報サービスの提供に必要な列車の編成データ、運行管理データ、およびコンテンツの表示スケジュールなどの各種情報が送信される。
【００５８】
〈車両に搭載される装置の構成とその接続および配置例〉
図２は、車両に搭載される装置の構成とその接続、および配置例とを示す説明図である。
【００５９】
この図２では、１号車である車両９にＤＨＣＰサーバ１と情報サービス管理装置２とを搭載している。また、１号車の車両９には、計８台の表示端末４０（図４）とその制御を行う端末計算機４（ＰＣ＃１−１〜ＰＣ＃１−８）を設置し、該車両９の車両進行方向側の壁には、無線ＬＡＮアクセスポイント３を設置した例を示している。
【００６０】
４台の表示端末４０（ＰＣ＃１−８〜ＰＣ＃１−５）は、車両進行方向の右側に設けられた各ドアの上部の壁面などに埋め込まれてそれぞれ設置されている。残りの４台の表示端末４０（ＰＣ＃１−１〜ＰＣ＃１−４）は、車両進行方向の左側に設けられた各ドアの上部の壁面などに埋め込まれてそれぞれ設置されている。
【００６１】
また、無線ＬＡＮアクセスポイント３は、車両進行方向側の壁のほぼ中央部に設置されている。これによって、無線ＬＡＮアクセスポイント３までの距離は、対面する表示端末４０であれば、ほぼ同じ距離になる。
【００６２】
例えば、無線ＬＡＮアクセスポイント３から右側に設置された表示端末４０（ＰＣ＃１−８）までの距離と、該表示端末４０（ＰＣ＃１−８）に対面するように左側に設置される表示端末４０（ＰＣ＃１−１）から無線ＬＡＮアクセスポイント３までの距離がほぼ同じとなる。
【００６３】
以下、同様に、無線ＬＡＮアクセスポイント３から右側の表示端末４０（ＰＣ＃１−７〜ＰＣ＃１−５）までのそれぞれ距離と、無線ＬＡＮアクセスポイント３から左側の表示端末４０（ＰＣ＃１−２〜ＰＣ＃１−４）までのそれぞれ距離もほぼ同じとなる。
【００６４】
図２の太線にて示すように、同一の列車内に設置される各端末計算機４と情報サービス管理装置２とを含む各装置は、大もとの電源を共有し、ほぼ同じタイミングで供給電力のオン／オフを行う車両９の電源６に接続されており、この例では、電源ライン７によりほぼすべて同じタイミングで電源のオン／オフが行われるものとする。また、２つの車両９同士が連結されるときには、電源ライン７、およびＬＡＮ５も相互に接続されるものとする。
【００６５】
なお、ＤＨＣＰサーバ１と情報サービス管理装置２とは、他の任意の車両９に搭載してもよいし、両者を別々の車両９に搭載してもよい。
【００６６】
〈端末計算機が行う表示制御の動作の概要〉
ここで、端末計算機４が行う表示制御の動作の概要について、図３を用いて説明する。
【００６７】
図３は、列車の運行時に車両内の情報サービス用の表示端末４０に表示される、車両の進行方向左側と右側とで表示内容が異なる案内画面の表示例である。
【００６８】
これらは、いずれも列車が次の停車駅に近づいたときに表示される案内画面の例であり、図３（ａ）は、ドアが開く側の表示端末４０に表示される画面の例、図３（ｂ）は、その反対側の表示端末４０に表示される画面の例である。
【００６９】
図３に示すように、運行ガイド表示部６１ａ，６１ｂには、次の停車駅の名前６５ａ，６５ｂを案内するメッセージ、当該表示端末４０が設置されている自車両の号車番号６６ａ、６６ｂ、および開くドアの方向６７ａ，６７ｂを案内するメッセージなどが表示される。
【００７０】
テロップ表示部６２ａ，６２ｂには、列車の運行に伴う案内メッセージなどのほか、ニュースなどのテキストメッセージが次々に右から左方向に移動するように表示される。また、ホーム案内図表示部６３ａ，６３ｂには、次の停車駅のホームにある各種設備の位置を示す案内図が表示され、車両位置表示部６４ａ，６４ｂには、当該表示端末４０が設置されている自車両の位置が識別可能に図形表示される。
【００７１】
図３（ａ）と図３（ｂ）とを比較して分かるように、同じ列車の同じ車両に設置される表示端末４０であっても、車両の進行方向左側と右側とでは、画面の構成、表示するメッセージ、案内図などが異なる場合がある。
【００７２】
また、同じ列車の同じ進行方向左（右）側に設置される表示端末４０であっても、自車両の位置によって、表示すべき号車番号や図形などが異なる場合がある。さらには、同じ車両の同じ進行方向左（右）側に設置される表示端末４０であっても、車両内における設置位置によって流すメッセージや広告の内容を変えたい場合もある。
【００７３】
そこで、それぞれの表示端末４０の表示制御を司る各端末計算機４を、当該表示端末４０の設置位置に応じて情報サービス管理装置２から配信される動作パラメータに基づいて、各種の表示パターンを切り換えて動作させるようにプログラム制御する。
【００７４】
これにより、同一の端末計算機４であっても、それが制御する表示端末４０の設置位置に応じて、動的に動作を切り換えることが可能となり、表示端末４０の設置位置に応じたきめ細かい表示制御を行うことができる。
【００７５】
〈端末計算機の構成、および機能〉
続いて、それぞれの端末計算機の構成と機能とについて説明する。
【００７６】
図４は、端末計算機４の構成例を示す機能ブロック図である。各端末計算機４は、端末計算機識別名、およびＭＡＣ（Media Access Control）アドレスなどの固有情報を除いて、すべて同一の構成を有する。
【００７７】
図４に示すように端末計算機４は、電源投入検知部４１、ＭＡＣアドレス取得部４２、ＩＰアドレス取得部４３、動作パラメータ取得部４４、端末表示制御部４５、無線ＬＡＮ送受信部４６、表示コンテンツ更新部４７、および設置方向取得部１００の各処理部と、動作パラメータ記憶部４８、および表示コンテンツ記憶部４９、の各記憶部とを備える。
【００７８】
電源投入検知部４１は、端末計算機４の電源が投入されたことを検知して、ＭＡＣアドレス取得部４２を起動する。ＭＡＣアドレス取得部４２は、端末計算機４に搭載されている図示しない無線ＬＡＮカードに付された固有の識別番号であるＭＡＣアドレスを当該無線ＬＡＮカードから読み取り、読み取ったＭＡＣアドレスをＩＰアドレス取得部４３に引き渡す。
【００７９】
ＩＰアドレス取得部４３は、ＤＨＣＰサーバ１にＭＡＣアドレス取得部４２から引き渡されたＭＡＣアドレスを通知してＩＰアドレスを取得するよう無線ＬＡＮ送受信部４６に指示し、無線ＬＡＮ送受信部４６から引き渡されたＩＰアドレスを動作パラメータ取得部４４に引き渡す。
【００８０】
動作パラメータ取得部４４は、情報サービス管理装置２に、設置方向取得部１００から出力される設置方向を示す情報である設置方向情報とＩＰアドレス取得部４３から引き渡されたＩＰアドレスを通知して動作パラメータを取得するよう無線ＬＡＮ送受信部４６に指示する。また、動作パラメータ取得部４４は、無線ＬＡＮ送受信部４６から引き渡された動作パラメータを動作パラメータ記憶部４８に記憶させる。
【００８１】
設置方向取得部１００は、例えば電子コンパスなどの方位磁石相当のデータから、端末計算機の設置方向を取得し、設置方向情報として出力する。端末表示制御部４５は、動作パラメータ記憶部４８に記憶された動作パラメータにしたがって表示端末４０に表示させる画面の表示データを生成し、生成した表示データを表示端末４０に送信する。
【００８２】
また、端末表示制御部４５は、情報サービス管理装置２から送信される次駅案内指示などの表示制御情報にしたがって画面の構成や表示内容を切り換えたり、表示コンテンツ記憶部４９に記憶された表示スケジュールにしたがって表示コンテンツ記憶部４９に記憶された各種の表示コンテンツを表示端末４０に表示させたりする。
【００８３】
表示コンテンツ更新部４７は、無線ＬＡＮ送受信部４６を介して情報サービス管理装置２から送信される表示スケジュールや追加、および更新用の表示コンテンツを受信し、受信した表示スケジュールや表示コンテンツを表示コンテンツ記憶部４９に記憶させる。
【００８４】
無線ＬＡＮ送受信部４６は、図示しない無線ＬＡＮカード、および図示しない無指向性アンテナを介して無線ＬＡＮアクセスポイント３と無線で交信することにより、端末計算機４とＤＨＣＰサーバ１、および情報サービス管理装置２との間の無線の通信リンクを確立し、ＩＰ通信によって情報サービス管理装置２と各種データの送受信を行う。
【００８５】
〈無線ＬＡＮアクセスポイントの構成および機能〉
次に、無線ＬＡＮアクセスポイントの構成と機能とについて説明する。
【００８６】
図５は、無線ＬＡＮアクセスポイント３の構成例を示す機能ブロック図である。
【００８７】
無線ＬＡＮアクセスポイント３は、図５に示すように、ＰＣ交信部３２、ＤＨＣＰサーバ兼情報サービス管理装置交信部３４、電波強度測定部１０１、および設置方向取得部１０２を備える。
【００８８】
ＰＣ交信部３２は、端末計算機４から受信したＩＰアドレス要求、電波強度測定部１０１が測定した電波強度、設置方向情報を含んだパラメータ要求とをＤＨＣＰサーバ兼情報サービス管理装置交信部３４に引き渡す。
【００８９】
また、ＰＣ交信部３２は、ＤＨＣＰサーバ兼情報サービス管理装置交信部３４から受信したＩＰアドレス、動作パラメータ、表示制御情報、表示コンテンツを端末計算機４に引き渡す。
【００９０】
ＤＨＣＰサーバ兼情報サービス管理装置交信部３４は、ＰＣ交信部３２から受信したＩＰアドレス要求をＤＨＣＰサーバ１に、受信したパラメータ要求を情報サービス管理装置２に引き渡す。
【００９１】
また、ＤＨＣＰサーバ兼情報サービス管理装置交信部３４は、ＤＨＣＰサーバ１から受信したＩＰアドレスをＰＣ交信部３２に引き渡す。さらに、ＤＨＣＰサーバ兼情報サービス管理装置交信部３４は、情報サービス管理装置２から受信した動作パラメータ、表示制御情報、および表示コンテンツをＰＣ交信部３２に引き渡す。
【００９２】
電波強度測定部１０１は、無線ＬＡＮアクセスポイント３が受信する各端末計算機４からの電波強度を測定し、その測定結果を出力する。図２にて示したように、無線ＬＡＮアクセスポイント３は、車両進行方向側の壁のほぼ中央部に設置されているので、該無線ＬＡＮアクセスポイント３までの距離が近い端末計算機４であれば、電波強度（ｄＢｍ）が強くなり、該無線ＬＡＮアクセスポイント３までの距離が遠い端末計算機４であれば、電波強度（ｄＢｍ）が弱くなる。
【００９３】
例えば図２の場合、端末計算機４（ＰＣ＃１−８）と端末計算機４（ＰＣ＃１−１）とは、左右対称に対面するように設置されているので、無線ＬＡＮアクセスポイント３までの距離がほぼ同じとなる。よって、端末計算機４（ＰＣ＃１−８）、および端末計算機４（ＰＣ＃１−１）の電波強度は、いずれもほぼ同じ電波強度として電波強度測定部１０１に測定されることになる。
【００９４】
また、端末計算機４（ＰＣ＃１−８）と端末計算機４（ＰＣ＃１−１）との設置位置が異なる場合には、異なる値の電波強度として電波強度測定部１０１に測定されることになる。
【００９５】
例えば端末計算機４（ＰＣ＃１−８）が、端末計算機４（ＰＣ＃１−１）よりも車両の進行方向側、すなわち無線ＬＡＮアクセスポイント３に近づいて設置されている場合には、端末計算機４（ＰＣ＃１−８）からの電波強度は、端末計算機４（ＰＣ＃１−１）からの電波強度よりも強く測定される。
【００９６】
設置方向取得部１０２は、図４の設置方向取得部１００と同様に、例えば電子コンパスなどの方位磁石相当のデータから、無線ＬＡＮアクセスポイント３の設置方向を取得し、ＡＰ（アクセスポイント）設置方向情報としてＤＨＣＰサーバ兼情報サービス管理装置交信部３４に出力する。
【００９７】
設置方向取得部１０２は、無線ＬＡＮアクセスポイント３が取り付けられている車両９の進行方向側の壁がどの方位に向いているかを検出する。例えば、無線ＬＡＮアクセスポイント３が取り付けられている車両９の進行方向側の壁が東側である場合には、設置方向取得部１０２から出力されるＡＰ設置方向情報は、「東」として出力される。
【００９８】
〈情報サービス管理装置の構成および機能〉
次に情報サービス管理装置の構成と機能について、図６に基づいて説明する。
【００９９】
図６は、情報サービス管理装置の構成例を示す機能ブロック図である。
【０１００】
情報サービス管理装置２は、図６に示すように、電源投入検知部２１、有線ＬＡＮ送受信部２２、動作パラメータ群生成部２３、ＰＣ管理部２４、表示コンテンツ配信制御部２５、表示制御情報配信制御部２６、編成データ更新部２７、および情報配信センタ交信部２９の各処理部とＰＣ管理データ記憶部８２、編成データ記憶部８１、および配信コンテンツ記憶部８３の各記憶部とを備える。
【０１０１】
電源投入検知部２１は、情報サービス管理装置２の電源が投入されたことを検知して、と動作パラメータ群生成部２３を起動する。動作パラメータ群生成部２３は、自列車の編成データ、および端末の配置パターンに基づいて、自列車に設置される各端末計算機４に配布すべき動作パラメータ群を生成し、ＰＣ管理データ記憶部８２に記憶されるＰＣ管理テーブル８２１の初期設定を行う。
【０１０２】
自列車の編成データは、編成データ記憶部８１の編成データテーブル８１１に記憶されているデータであり、端末の配置パターンは、図１０の端末配置パターン定義テーブル８３１に記憶されている。
【０１０３】
なお、編成データテーブル８１１、端末配置パターン定義テーブル８３１、およびＰＣ管理テーブル８２１の詳細は、図９、図１０、図１１を用いて後記する。
【０１０４】
有線ＬＡＮ送受信部２２は、無線ＬＡＮアクセスポイント３とＬＡＮ５（図１）を介して交信することにより、端末計算機とＩＰ通信によって各種データの送受信を行う。なお、情報サービス管理装置２のＩＰアドレスは、予め固定のＩＰアドレスが割り当てられており、各無線ＬＡＮアクセスポイント３のＩＰアドレスは、例えば、列車の編成データの一部として、情報配信センタ７０（図１）から通知されるものとする。
【０１０５】
ＰＣ管理部２４は、有線ＬＡＮ送受信部２２を介して、各端末計算機４から送信されるパラメータ要求を受信する。そして、受信したパラメータ要求に含まれる設置方向情報と受信強度の情報を元にＰＣ管理テーブル８２１から検索し、端末の設置位置を特定し、設置位置から該当する動作パラメータを当該端末計算機に返送する。また、受信したパラメータ要求に含まれる当該端末計算機の識別名、ＭＡＣアドレス、およびＩＰアドレスをＰＣ管理テーブル８２１に格納する。
【０１０６】
表示コンテンツ配信制御部２５は、情報配信センタ交信部２９を介して情報配信センタ７０から送信されるニュースや広告などの各種配信コンテンツを受信し、受信した配信コンテンツを配信コンテンツ記憶部８３に格納すると共に、ＰＣ管理部２４に各端末計算機４への配信コンテンツの配信を依頼する。
【０１０７】
ＰＣ管理部２４は、表示コンテンツ配信制御部２５から配信を依頼された配信コンテンツを、そのコンテンツの表示を行うすべての端末計算機４に有線ＬＡＮ送受信部２２を介して送信する。例えば、ニュースの配信を依頼された場合であれば、ニュースを表示するすべての端末計算機４にそのニュースを送信する。また、配信先が特定された配信コンテンツであれば、該当する端末計算機４だけにそのコンテンツを送信する。
【０１０８】
表示制御情報配信制御部２６は、情報配信センタ交信部２９を介して、情報配信センタ７０から送信される自列車の位置などの運行管理データを受信し、ＰＣ管理部２４に各端末計算機へ次駅案内などの指示を行う表示制御情報を送信するよう依頼する。ＰＣ管理部２４は、表示制御情報配信制御部２６から送信を依頼された表示制御情報を、それに基づいて表示制御を行うすべての端末計算機４に送信する。
【０１０９】
〈乗客向けの情報サービスを提供するための動作〉
続いて、以上説明した各装置が連携して乗客向けの情報サービスを提供するための動作について詳しく説明する。
【０１１０】
図７は、それぞれの端末計算機４がＩＰ通信を行うのに必要となるＩＰアドレスを取得するまでの動作の流れを示すシーケンス図である。図８は、ＩＰアドレスを取得したそれぞれの端末計算機４が情報サービス管理装置から動作パラメータを取得して表示端末４０の表示制御を行う動作の流れを示すシーケンス図である。
【０１１１】
図７においては、左から右にかけて、端末計算機４、無線ＬＡＮアクセスポイント３、情報サービス管理装置２、およびＤＨＣＰサーバ１における動作シーケンスをそれぞれ示している。
【０１１２】
また、図８においては、左から右にかけて、表示端末４０、端末計算機４、無線ＬＡＮアクセスポイント３、および情報サービス管理装置２における動作シーケンスをそれぞれ示している。
【０１１３】
以下、図７のシーケンス図に沿って、それぞれの端末計算機がＤＨＣＰサーバからＩＰアドレスを取得するまでの動作の詳細を説明する。また、図８のシーケンス図に沿って、取得したＩＰアドレスを用いて、情報サービス管理装置から自身の動作を規定する動作パラメータを取得して表示制御を行う動作について説明する。
【０１１４】
まず、電源６が起動され、電源ライン７によって各装置への電力の供給が開始されると、端末計算機４の電源投入検知部４１が自装置の電源投入を検知して（ステップＳ４１１）、ＭＡＣアドレス取得部４２を起動する。
【０１１５】
続いて、ＭＡＣアドレス取得部４２は、自装置に搭載されている無線ＬＡＮカードからその固有番号であるＭＡＣアドレスを読み込むことによって当該ＭＡＣアドレスを取得する（ステップＳ４１２）。
【０１１６】
同じく電源が投入された情報サービス管理装置２は、電源投入検知部２１により、自装置の電源投入を検知する（ステップＳ２１１）。同じく電源が投入された無線ＬＡＮアクセスポイント３は、所定周期で自身のＭＡＣアドレスなど無線通信を行うために必要な情報を通知するビーコン信号を送信する（ステップＳ３１２）。
【０１１７】
端末計算機４の無線ＬＡＮ送受信部４６がこのビーコン信号を検知すると（ステップＳ４１３）、当該無線ＬＡＮアクセスポイント３との間の通信リンクを確立するために、自身のＭＡＣアドレスや認証情報などを通知するアソシエーション要求を送信する（ステップＳ４１４）。
【０１１８】
このアソシエーション要求が無線ＬＡＮアクセスポイント３によって受信され、必要なクライアント認証が行われた結果（ステップＳ３１３）、接続が許可されると、無線ＬＡＮアクセスポイント３は、端末計算機４のＭＡＣアドレスを指定することによって端末計算機４宛に接続許可を通知する。このとき、無線通信を行うときの通信パラメータを通知するアソシエーション応答が送信される。
【０１１９】
端末計算機４と無線ＬＡＮアクセスポイント３との間のアソシエーションが確立すると、次に、端末計算機４のＩＰアドレス取得部４３は、ＩＰアドレスを取得したい旨と自身のＭＡＣアドレスとを通知するブロードキャスト信号であるＤＨＣＰ  ＤＩＳＣＯＶＥＲを無線ＬＡＮアクセスポイント３に送信する（ステップＳ４１６）。
【０１２０】
無線ＬＡＮアクセスポイント３によって中継されるこのブロードキャスト信号を受信したＤＨＣＰサーバ１は、割り当て可能なＩＰアドレスの候補を１つ選択して（ステップＳ１１１）、端末計算機４のＭＡＣアドレスを指定することにより、端末計算機４宛にそのＩＰアドレス候補を通知する信号であるＤＨＣＰ  ＯＦＦＥＲを送信する。
【０１２１】
端末計算機４のＩＰアドレス取得部４３は、無線ＬＡＮ送受信部４６を介して受信されるこのＤＨＣＰ  ＯＦＦＥＲによって通知されたＩＰアドレス候補を受け入れる（ステップＳ４１７）。そして、そのＩＰアドレス候補を利用したい旨を通知する信号であるＤＨＣＰ  ＲＥＱＵＥＳＴをＤＨＣＰサーバ１宛に送信する。
【０１２２】
無線ＬＡＮアクセスポイント３によって中継されるこの信号を受信したＤＨＣＰサーバ１は、ＩＰアドレス候補として通知したＩＰアドレスの貸し出し処理を行う（ステップＳ１１２）。そして、貸し出しが完了した旨を通知する信号であるＤＨＣＰ  ＡＣＫを端末計算機４宛に送信する。
【０１２３】
このＤＨＣＰ  ＡＣＫを受信した端末計算機４のＩＰアドレス取得部４３は、当該ＩＰアドレスを自装置のＩＰアドレスとして設定し（ステップＳ４１８）、ＩＰアドレスの取得が完了となる。
【０１２４】
続いて、端末計算機４が取得したＩＰアドレスを用いて情報サービス管理装置２から自身の動作を規定する動作パラメータを取得して表示制御を行う動作について説明する。以下、図８のシーケンス図に沿って、各装置の動作を詳細に説明する。
【０１２５】
ＩＰアドレスの取得が完了すると、端末計算機４は、設置方向取得部１００から端末計算機４の設置方向情報を取得する（ステップＳ４２０）。設置方向取得部１００は、前述したように電子コンパスなどを有している。電子コンパスは、磁気センサによって微弱な地磁気を検出して方位をデータ化して出力する。
【０１２６】
設置方向取得部１００は、例えば表示端末４０の表示画面がどの方位に向いているかを検出する。例えば、表示端末４０が「北」に設置され、該表示端末４０の表示画面が「南」に向かうように設置されている場合、設置方向取得部１００から出力される設置方向情報は、「南」として出力される。
【０１２７】
続いて、動作パラメータ取得部４４は、無線ＬＡＮアクセスポイント３に自身の固有情報である端末計算機４の識別名、および設置方向情報を含んだパラメータ要求を送信する（ステップＳ４２１）。
【０１２８】
このとき、無線ＬＡＮ送受信部４６は、ＭＡＣアドレス取得部４２によって取得された自装置のＭＡＣアドレスと、ＩＰアドレス取得部４３によって、取得された自装置のＩＰアドレスとを含んだパラメータ要求のＩＰパケットを生成して無線ＬＡＮアクセスポイント３に送信する。
【０１２９】
無線ＬＡＮアクセスポイント３は、ＰＣ交信部３２を介してＩＰパケット化されたパラメータ要求を受信し、電波強度測定部１０１が測定した電波強度、および設置方向取得部１０２が取得したＡＰ設置方向情報とをパラメータ要求に追加し、ＤＨＣＰサーバ兼情報サービス管理装置交信部３４を介して、情報サービス管理装置２に送信する（ステップＳ３２２）。
【０１３０】
情報サービス管理装置２のＰＣ管理部２４は、有線ＬＡＮ送受信部２２を介してＩＰパケット化されたパラメータ要求を受信すると、編成データテーブル８１１を参照し、受信したＩＰパケットを送信してきた無線ＬＡＮアクセスポイント３のＭＡＣアドレスから、当該無線ＬＡＮアクセスポイント３、および当該端末計算機４が設置されている車両の号車番号を特定する。
【０１３１】
続いて、車両内でどの位置に端末計算機４が設置されているかを判別する。端末計算機４の設置方向情報と電波強度の情報、および無線ＬＡＮアクセスポイント３の設置方向情報から設置位置を特定する。
【０１３２】
編成データテーブル８１１から端末の設置パターンを入手し、例えば、図２に示すように、進行方向右側に４台の端末計算機４、進行方向左側に４台の端末計算機４、および無線ＬＡＮアクセスポイント３が設置されている情報を入手する。
【０１３３】
ここで、図２に示す設置例において、端末計算機４と無線ＬＡＮアクセスポイント３が無線通信を行うと、最も電波強度の強い、すなわち最も受信感度が高い端末計算機４は、該無線ＬＡＮアクセスポイント３までの距離が最も近い端末計算機４（ＰＣ＃１−８，ＰＣ＃１−１）となる。
【０１３４】
さらに、その２つの設置位置が進行方向の右側か左側かを特定するために、端末計算機４（ＰＣ＃１−８，ＰＣ＃１−１）から設置方向情報を入手する。
【０１３５】
例えば、端末計算機４（ＰＣ＃１−１）が北向き、端末計算機４（ＰＣ＃１−８）が南向きに設置されていれば、入手した端末設置パターンより、電波強度がほぼ同じ、つまり無線ＬＡＮアクセスポイント３よりほぼ同じ距離に配置された端末計算機４は、向かい合うように設置されることがわかる。
【０１３６】
また、無線ＬＡＮアクセスポイント３の設置方向情報から、向かい合うように設置される端末計算機４が車両の進行方向の右側に設置されているか、あるいは左側に設置されているかを判別することができる。
【０１３７】
この操作を繰り返すことによって、全ての端末計算機４の設置位置を特定する。そして、特定される設置位置に該当するＰＣ管理テーブル８２１のレコードに端末計算機４から通知された端末計算機４の識別名と受信したＩＰパケットに含まれている当該端末計算機４のＭＡＣアドレス、およびＩＰアドレスを登録する（ステップＳ２２１）。
【０１３８】
続いて、ＰＣ管理部２４は、当該レコードに対応してポインタ値をＰＣ管理テーブル８２１から取得して、取得したポインタ値を動作パラメータとして端末計算機４に送信する（Ｓ２２２）。
【０１３９】
図９は、編成データ記憶部８１に備えられる編成データテーブル８１１の構成、およびデータ例である。
【０１４０】
編成データテーブル８１１は、図９に示すように、列車を編成しているそれぞれの車両に対応するレコードが号車番号順に登録される。各レコードは、号車番号、ＰＣ数、アクセスポイント属性データ、および配置パターンを属性にもつ。
【０１４１】
号車番号とは、列車を編成している車両の連結順に各車両に付される一連番号である。ＰＣ数とは、当該車両に設置されている端末計算機４の数（＝表示端末４０の数）である。
【０１４２】
アクセスポイント属性データとは、当該車両に設置されている無線ＬＡＮアクセスポイント３の属性データであり、無線ＬＡＮアクセスポイント３の識別番号、無線通信チャンネル番号、ＭＡＣアドレス、およびＩＰアドレスを含む。配置パターンとは、当該車両への表示端末４０を設置する場所の配置パターンの識別名である。
【０１４３】
この図９に示すデータ例の場合、１号車にはパターンＡによって、８台の端末計算機４が設置されると共に、識別番号が「ＡＰ＃１」、無線通信チャンネル番号が「１」、ＭＡＣアドレスが「0x---abf0」、ＩＰアドレスが「192.168.1.11」である無線ＬＡＮアクセスポイント３が１台設置されていることを示している。
【０１４４】
また、２号車には、パターンＢによって２４台の端末計算機４が設置され、さらに３号車には、パターンＣによって４台の端末計算機４が設置されていることなどを示している。
【０１４５】
図１０は、編成データ記憶部８１に備えられる端末配置パターン定義テーブル８３１の構成、およびデータ例である。
【０１４６】
端末配置パターン定義テーブル８３１は、図１０に示すように、車両に表示端末４０を配置するパターンのそれぞれに対応するレコードが登録される。各レコードは、配置パターン、受信感度、設置方向、およびＰＣ設置位置を属性にもつ。
【０１４７】
配置パターンとは、図９と同様に当該車両への表示端末４０を設置する場所の配置パターンの識別名である。受信感度とは、無線ＬＡＮアクセスポイント３が端末計算機４から受信する電波の受信感度であり電波強度などを示す。設置方向とは、端末計算機４が車両進行方向の右側に設置されているか、あるいは左側に設置されているかを示す。ＰＣ設置位置とは、当該端末計算機４の車両内での設置位置を示す番号である。
【０１４８】
図１０のデータ例の場合、配置パターンがパターンＡでは、４台の端末計算機４があることを示している。そして、ＰＣ設置位置である設置場所が１の端末計算機４は、設置方向が右側であり、電波強度が強い、すなわち受信感度が大であることを示している。また、設置場所が２の端末計算機４は、設置方向が左側であり、受信感度が大であることを示している。
【０１４９】
同様に、設置場所が３の端末計算機４は、設置方向が右側であり、電波強度が弱い、すなわち受信感度が小、設置場所が４の端末計算機４は、設置方向が左側であり、受信感度が小であることをそれぞれ示している。
【０１５０】
図１１は、情報サービス管理装置２のＰＣ管理部２４が情報配信センタ７０から列車の編成データを受信したときにＰＣ管理データ記憶部８２に生成されるＰＣ管理テーブル８２１の初期状態のデータ例である。
【０１５１】
初期状態のＰＣ管理テーブル８２１は、図１１に示すように、当該列車を編成する各車両に設置されるそれぞれの端末計算機４に対応するレコードが号車番号、およびＰＣ設置位置の番号順に登録される。各レコードは、号車番号、ＰＣ設置位置、およびポインタ値を属性にもつ。
【０１５２】
号車番号とは、当該端末計算機４が設置される車両の号車番号である。ＰＣ設置位置とは、図１０と同様に当該端末計算機４の車両内での設置位置を示す番号である。また、ポインタ値は、当該端末計算機４に配信すべき動作パラメータのリストのアドレスを示すポインタ値が登録される。
【０１５３】
ここで、例えば、図１１におけるｐ（Ａ，１）なる標記は、前記した配置パターンが「パターンＡ」である端末計算機４に配信すべき１番目の動作パラメータのリストへのポインタ値を表している。
【０１５４】
情報配信センタ７０から受信した列車の編成データは、編成データ更新部２７によって図９の編成データテーブル８１１に登録されている。ＰＣ管理部２４は、登録されている編成データテーブル８１１と図１０の端末配置パターン定義テーブル８３１とを参照することによって、各車両の各設置位置に対応するそれぞれの端末計算機４に配布すべき動作パラメータを特定する。そして、特定した動作パラメータのリストへのポインタ値をＰＣ管理テーブル８２１に登録する。
【０１５５】
図８のステップＳ２２１では、パラメータ要求を送信してきた端末計算機４に対応するレコードをＰＣ管理テーブル８２１から検索して、当該レコードにその端末計算機４の識別名などを登録する。続くステップＳ２２２では、当該レコードのポインタ値から動作パラメータのリストを取得して、取得した動作パラメータをその端末計算機４に送信する。
【０１５６】
このような動作を、パラメータ要求を送信してきたそれぞれの端末計算機４毎に繰り返し実行することにより、図１２に例示するように、ＰＣ登録後のＰＣ管理テーブル８２１のそれぞれのレコードには、それに対応する端末計算機４の識別名、ＭＡＣアドレス、およびＩＰアドレスが追加登録されることになる。
【０１５７】
再び図８に戻って説明を続ける。端末計算機４の動作パラメータ取得部４４は、無線ＬＡＮ送受信部４６を介して動作パラメータを受信すると、受信した動作パラメータを動作パラメータ記憶部４８に格納する。
【０１５８】
端末表示制御部４５は、動作パラメータ記憶部４８に格納された動作パラメータを参照して自身の動作を制御することによって、表示コンテンツ記憶部４９から必要な表示スケジュールやコンテンツを取得して表示端末４０に表示させる初期表示データを生成する（ステップＳ４２２）。これにより、生成された初期表示画面の表示データＰ１は、表示端末４０に送信され、初期表示画面が表示される。
【０１５９】
また、必要に応じて、情報配信センタ７０から情報サービス管理装置２に送信される列車の編成データと表示コンテンツや表示スケジュールを含む配信コンテンツとは、表示コンテンツ配信制御部２５によって受信され、配信コンテンツ記憶部８３にデータが保存される。
【０１６０】
これとは別に、情報配信センタ７０から情報サービス管理装置２へは、列車の位置情報などの運行管理データが送信され、情報サービス管理装置２の表示制御情報配信制御部２６は、受信した運行管理データに基づいて、例えば次駅案内のテロップを流すよう指示する表示制御情報の配信をＰＣ管理部２４に依頼する。
【０１６１】
依頼を受けたＰＣ管理部２４は、編成データテーブル８１１（図９）、端末配置パターン定義テーブル８３１（図１０）、ＰＣ管理テーブル８２１（図１２）、および動作パラメータのリスト（図１１）などを参照する。
【０１６２】
そして、その表示制御情報を配信すべき対象の端末計算機４を抽出して、抽出した端末計算機４のそれぞれにその表示制御情報を配信する（ステップＳ２２３）。これにより、例えばテロップ表示を行わない表示端末４０に対応する端末計算機４への不要な表示制御情報の配信を抑止する。
【０１６３】
この表示制御情報を受信した端末計算機４の端末表示制御部４５は、動作パラメータ記憶部４８に格納されている動作パラメータを参照して自身の動作を制御することによって、受信した表示制御情報に対応した表示データの更新を行う（ステップＳ４２３）。これにより、例えば次駅案内のテロップの表示データＰ２を生成して表示端末４０に送信する。
【０１６４】
以後同様にして、新たな運行管理データに基づいて、情報サービス管理装置２から端末計算機４への表示制御情報の送信が行われ（ステップＳ２２４）、端末計算機４が受信した表示制御情報に対応した表示データの更新を行うことによって（ステップＳ４２４）、表示データＰ３を生成して表示端末４０に送信する。
【０１６５】
また、情報配信センタ７０から送信され、配信コンテンツ記憶部８３に保存された例えば最新のニュースや天気予報などの配信コンテンツは、表示コンテンツ配信制御部２５によって、その情報を必要とするそれぞれの端末計算機４に更新コンテンツとして適宜配信される。
【０１６６】
この更新コンテンツを受信した各端末計算機４の表示コンテンツ更新部４７は、受信したコンテンツや表示スケジュールを表示コンテンツ記憶部４９に保存する。以後、端末表示制御部４５は、表示コンテンツ記憶部４９に保存されている最新の表示スケジュールにしたがって更新されたコンテンツを表示するための表示データ更新を行う。これにより、更新された表示データＰｊを生成して表示端末４０に送信する。
【０１６７】
以上説明したように、本実施形態に係る分散型計算機システムによれば、車両内の設置位置を記録した位置識別媒体を設置する必要がなくなる。
【０１６８】
また、位置識別媒体を設置する作業なども不要となるので、作業工数を低減することができるとともに、位置識別媒体の設置間違いなどによる情報の誤表示などを防止することができる。
【０１６９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１７０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１７１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１７２】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１７３】
１  ＤＨＣＰサーバ
２  情報サービス管理装置
３  無線ＬＡＮアクセスポイント
４  端末計算機
６  電源
７  電源ライン
９  車両
１０  分散型計算機システム
２１  電源投入検知部
２２  有線ＬＡＮ送受信部
２３  動作パラメータ群生成部
２４  ＰＣ管理部
２５  表示コンテンツ配信制御部
２６  表示制御情報配信制御部
２７  編成データ更新部
２９  情報配信センタ交信部
３２  ＰＣ交信部
３４  ＤＨＣＰサーバ兼情報サービス管理装置交信部
４０  表示端末
４１  電源投入検知部
４２  ＭＡＣアドレス取得部
４３  ＩＰアドレス取得部
４４  動作パラメータ取得部
４５  端末表示制御部
４６  無線ＬＡＮ送受信部
４７  表示コンテンツ更新部
４８  動作パラメータ記憶部
４９  表示コンテンツ記憶部
６１ａ  運行ガイド表示部
６２ａ  テロップ表示部
６３ａ  ホーム案内図表示部
６４ａ  車両位置表示部
６５ａ  名前
６６ａ  号車番号
６７ａ  方向
７０  情報配信センタ
８１  編成データ記憶部
８２  ＰＣ管理データ記憶部
８３  配信コンテンツ記憶部
１００  設置方向取得部
１０１  電波強度測定部
１０２  設置方向取得部
８１１  編成データテーブル
８２１  ＰＣ管理テーブル
８３１  端末配置パターン定義テーブル
【図１】
2014175805.tif 000003
【図２】
2014175805.tif 000004
【図３】
2014175805.tif 000005
【図４】
2014175805.tif 000006
【図５】
2014175805.tif 000007
【図６】
2014175805.tif 000008
【図７】
2014175805.tif 000009
【図８】
2014175805.tif 000010
【図９】
2014175805.tif 000011
【図１０】
2014175805.tif 000012
【図１１】
2014175805.tif 000013
【図１２】
2014175805.tif 000014